【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
離間して互いに対向配置された一対の基板と、
前記一対の基板の間隙に配置され、磁界および電界の変化に応じて表示を変える表示層と、
前記表示層に電界を印加する電極と、
先端に磁石を有するペンと
を備えた
表示装置。
【請求項２】
前記表示層は、分散媒と、前記分散媒中に設けられた複数の第１要素および複数の第２要素とを有し、
前記第１要素は、磁性体、または前記磁性体を含むものであり、
前記第２要素は、非磁性体、または前記非磁性体を含むものであり、
前記第１要素および前記第２要素の少なくとも一方が帯電している
請求項１に記載の表示装置。
【請求項３】
前記第１要素は、磁性粒子であり、
前記第２要素は、非磁性粒子もしくは非磁性の繊維状構造体である
請求項２に記載の表示装置。
【請求項４】
前記第２要素は、前記非磁性粒子であり、
前記磁性粒子および前記非磁性粒子の少なくとも一方が電気的に修飾されている
請求項３に記載の表示装置。
【請求項５】
前記第２要素は、前記繊維状構造体であり、
前記磁性粒子が電気的に修飾されている
請求項３に記載の表示装置。
【請求項６】
前記表示層は、前記分散媒と、前記複数の第１要素および前記複数の第２要素とを封入する複数のマイクロカプセルをさらに有する
請求項４に記載の表示装置。
【請求項７】
前記表示層は、前記一対の基板の間隙を規制すると共に前記分散媒を複数の領域に空間分離する第１スペーサをさらに有する
請求項４に記載の表示装置。
【請求項８】
前記表示層は、前記一対の基板の間隙を規制する複数の柱状の第２スペーサをさらに有する
請求項４に記載の表示装置。
【請求項９】
前記表示層は、前記一対の基板の間隙を規制すると共に前記分散媒を複数の領域に空間分離する第３スペーサをさらに有する
請求項５に記載の表示装置。
【請求項１０】
前記表示層は、前記一対の基板の間隙を規制する複数の柱状の第４スペーサをさらに有する
請求項５に記載の表示装置。
【請求項１１】
前記電極に対して電圧を印加することにより前記表示層の表示を変化させる第１駆動部をさらに備えた
請求項１ないし請求項１０のいずれか一項に記載の表示装置。
【請求項１２】
前記電極は、前記一対の基板のうち一方の基板寄りに設けられた第１電極と、前記一対の基板のうち他方の基板寄りに設けられた第２電極とを有し、
前記第１駆動部は、前記第１電極および前記第２電極に対して電圧を印加することにより、前記表示層の表示の全体または一部を消去する
請求項１１に記載の表示装置。
【請求項１３】
前記第１電極は、第１方向に延在する複数の第１部分電極を含んで構成され、
前記第２電極は、前記第１方向と交差する第２方向に延在する複数の第２部分電極を含んで構成され、
前記第１駆動部は、前記第１電極および前記第２電極を単純マトリクス駆動することにより前記表示層の表示の全体または一部を消去する
請求項１１に記載の表示装置。
【請求項１４】
前記第１電極または前記第２電極は、２次元配置された複数の第３部分電極を含んで構成され、
前記第１駆動部は、前記複数の第３部分電極をアクティブマトリクス駆動することにより前記表示層の表示の全体または一部を消去する
請求項１２に記載の表示装置。
【請求項１５】
前記第１駆動部は、前記第１電極および前記第２電極に対して、前記表示層の表示が暗表示から明表示に変化し始める閾値よりも小さい電位差を印加する
請求項１２に記載の表示装置。
【請求項１６】
前記一対の基板、前記第１電極および前記第２電極は、光透過性を有する
請求項１２に記載の表示装置。
【請求項１７】
前記第１電極寄りの前記基板および前記第１電極は、光透過性を有し、
前記第２電極寄りの前記基板および前記第２電極のうち、少なくとも前記第２電極は、光吸収性を有する
請求項１２に記載の表示装置。
【請求項１８】
前記第１電極寄りの前記基板および前記第１電極は、光透過性を有し、
前記第２電極寄りの前記基板および前記第２電極のうち、少なくとも前記第２電極は、光反射性を有する
請求項１２に記載の表示装置。
【請求項１９】
前記第２電極寄りの前記基板に接して設けられ、前記第１電極寄りの前記基板の、前記ペンによる押圧を検出するセンサ部と、
前記センサ部の出力に基づいて描画データを生成し外部に出力する第２駆動部と
をさらに備えた
請求項１２に記載の表示装置。
【請求項２０】
前記描画データを格納する記憶部をさらに備え、
前記第２駆動部は、前記センサ部の出力に基づいて生成した追記データと、前記記憶部に格納された描画データとを互いに重ね合わせることにより、前記描画データを生成すると共に前記記憶部に格納する
請求項１９に記載の表示装置。
【請求項２１】
前記表示面に描画された画像を消去する消去モードを設定するモード設定部をさらに備え、
前記第２駆動部は、前記消去モードにおいて、前記センサ部の出力に基づいて、消去位置を特定し、前記表示面のうち前記消去位置の画像を消去するように、前記第１電極および前記第２電極に対して電圧を印加する
請求項１９に記載の表示装置。
【手続補正２】
【補正対象書類名】明細書
【補正対象項目名】００４７
【補正方法】変更
【補正の内容】
【００４７】
また、表示装置２において、上側電極１４および下側電極１２の少なくとも一方が複数の部分電極（１２Ａ，１４Ａ）で構成されている場合、表示層１６のうち、上側電極１４と下側電極１２とが互いに対向する部分が、マトリクス駆動時の画素となる。そのため、マトリクス駆動時の所定の画素において、上側電極１４および下側電極１２の電位差を、上記閾値の電位差よりも大きくした場合には、表示面１０Ａ内の所定の領域だけを消去することができる。また、マトリクス駆動時の全ての画素において、上側電極１４および下側電極１２の電位差を、上記閾値の電位差よりも大きくした場合には、表示面１０Ａ全体を消去することができる。つまり、表示装置２において、上側電極１４および下側電極１２の少なくとも一方を複数の部分電極（１２Ａ，１４Ａ）で構成することにより、表示面１０Ａを部分的に消去したり、表示面１０Ａ全体を一度に消去したりすることができる。従って、この場合には、高速描画、一括消去および部分消去を兼ね備え、しかも消去残しの生じ難い表示装置を実現することができる。
【手続補正３】
【補正対象書類名】明細書
【補正対象項目名】００４８
【補正方法】変更
【補正の内容】
【００４８】
また、上側基板１５および上側電極１４が剛性の低い材料で形成されており、駆動部２０が上側電極１４および下側電極１２に上記閾値よりも小さい電位差を印加している場合、以下のような部分消去が可能となる。具体的には、ユーザが消去したい部分を表示面１０Ａ側から非磁性の棒（例えばペン３０の裏側の端部）などで押してやる。これにより、表示層１６の厚さが部分的に狭くなり、電界Ｅの強度が部分的に上記閾値を超える。このようにして、電界Ｅを部分的に大きくすることにより、表示面１０Ａ内の所定の領域だけを消去することもできる。
【手続補正４】
【補正対象書類名】明細書
【補正対象項目名】００７０
【補正方法】変更
【補正の内容】
【００７０】
図２０Ａ、図２０Ｂ、図２０Ｃは、電界Ｅが入力されたときの表示層１７の作用の一例を表すものである。図２０Ａ〜図２０Ｃは、第１要素１３１が正帯電となっているときの表示層１７の作用の一例を表すものである。第１要素１３１が正帯電となっている場合には、駆動部２０は、上側電極１４および下側電極１２に対して、上側電極１４の電位が下側電極１２よりも高い電位となる電圧を印加する。駆動部２０は、例えば、図２０Ａ、図２０Ｃに示したように、上側電極１４に正電圧を印加すると共に下側電極１２に負電圧もしくはグラウンド電圧（ゼロボルト）を印加する。また、駆動部２０は、例えば、図２０Ｂに示したように、上側電極１４にグラウンド電圧（ゼロボルト）を印加すると共に下側電極１２に負電圧を印加する。また、駆動部２０は、例えば、上側電極１４に正電圧を印加すると共に下側電極１２に上電極１４よりも相対的に小さい値の正電圧を印加する。また、駆動部２０は、例えば、上側電極１４に負電圧を印加すると共に下側電極１２に上側電極１４よりも大きい値の負電圧を印加する。これにより、表示層１７内には、上側電極１４から下側電極１２に向かう電界Ｅが発生する。従って、下側電極１２および上側電極１４から入力された電界Ｅに起因して、第１要素１３１に対して、上側電極１４から下側電極１２に向かうクーロン力が働く。その結果、第１要素１３１が繊維状構造体１３５の細孔１３６を経由して、下側電極１２側（または下側基板１１側）に変位し、下側電極１２に接触ないしは近接する。その一方で、電界Ｅによって繊維状構造体１３５は特段、変位しないが、第１要素１３１の、下側電極１２近傍への密集に起因して、繊維状構造体１３５の上面が露出する。つまり、表示層１７は、上側電極１４および下側電極１２に対して上述の電圧が印加されると、表示層２０の表示の全体または一部において、明表示（例えば白表示）となる。
【手続補正５】
【補正対象書類名】明細書
【補正対象項目名】００７１
【補正方法】変更
【補正の内容】
【００７１】
以上をまとめると、表示層１７は、ペン３０から入力される磁界Ｈに起因して第１要素１３１が変位することにより表示を変化させる（描画する）ことができる。このとき、第１要素１３１および第２要素１３７はスペーサ１６Ｂで区切られた表示画素１６Ａ内で移動するので、表示面１０Ａ内での反射率のばらつきを抑えることができる。さらに、表示層１７は、下側電極１２および上側電極１４から入力される電界Ｅに起因して第１要素１３１が変位することにより、表示面１０Ａ内の反射率のばらつきを抑えて表示を変化させる（消去する）ことができる。
【手続補正６】
【補正対象書類名】明細書
【補正対象項目名】００９３
【補正方法】変更
【補正の内容】
【００９３】
また、例えば、本技術は以下のような構成を取ることができる。
（１）
離間して互いに対向配置された一対の基板と、
前記一対の基板の間隙に配置され、磁界および電界の変化に応じて表示を変える表示層と、
前記表示層に電界を印加する電極と、
先端に磁石を有するペンと
を備えた
表示装置。
（２）
前記表示層は、分散媒と、前記分散媒中に設けられた複数の第１要素および複数の第２要素とを有し、
前記第１要素は、磁性体、または前記磁性体を含むものであり、
前記第２要素は、非磁性体、または前記非磁性体を含むものであり、
前記第１要素および前記第２要素の少なくとも一方が帯電している
（１）に記載の表示装置。
（３）
前記第１要素は、磁性粒子であり、
前記第２要素は、非磁性粒子もしくは非磁性の繊維状構造体である
（２）に記載の表示装置。
（４）
前記第２要素は、前記非磁性粒子であり、
前記磁性粒子および前記非磁性粒子の少なくとも一方が電気的に修飾されている
（３）に記載の表示装置。
（５）
前記第２要素は、前記繊維状構造体であり、
前記磁性粒子が電気的に修飾されている
（３）に記載の表示装置。
（６）
前記表示層は、前記分散媒と、前記複数の第１要素および前記複数の第２要素とを封入する複数のマイクロカプセルをさらに有する
（４）に記載の表示装置。
（７）
前記表示層は、前記ペンから入力される磁界に起因して前記第１要素が変位したり、前記電極から入力される電界に起因して前記第１要素および前記第２要素のうち、帯電している要素が変位したりすることにより表示を変化させる
（６）に記載の表示装置。
（８）
前記表示層は、前記一対の基板の間隙を規制すると共に前記分散媒を複数の領域に空間分離する第１スペーサをさらに有する
（４）に記載の表示装置。
（９）
前記表示層は、前記ペンから入力される磁界に起因して前記第１要素が変位したり、前記電極から入力される電界に起因して前記第１要素および前記第２要素のうち、帯電している要素が変位したりすることにより表示を変化させる
（８）に記載の表示装置。
（１０）
前記表示層は、前記一対の基板の間隙を規制する複数の柱状の第２スペーサをさらに有する
（４）に記載の表示装置。
（１１）
前記表示層は、前記ペンから入力される磁界に起因して前記第１要素が変位したり、前記電極から入力される電界に起因して前記第１要素および前記第２要素のうち、帯電している要素が変位したりすることにより表示を変化させる
（１０）に記載の表示装置。
（１２）
前記表示層は、前記一対の基板の間隙を規制すると共に前記分散媒を複数の領域に空間分離する第３スペーサをさらに有する
（５）に記載の表示装置。
（１３）
前記表示層は、前記ペンから入力される磁界に起因して前記第１要素が変位したり、前記電極から入力される電界に起因して前記第１要素が変位したりすることにより表示を変化させる
（１２）に記載の表示装置。
（１４）
前記表示層は、前記一対の基板の間隙を規制する複数の柱状の第４スペーサをさらに有する
（５）に記載の表示装置。
（１５）
前記表示層は、前記ペンから入力される磁界に起因して前記第１要素が変位したり、前記電極から入力される電界に起因して前記第１要素が変位したりすることにより、表示を変化させる
（１４）に記載の表示装置。
（１６）
前記電極に対して電圧を印加することにより前記表示層の表示を変化させる第１駆動部をさらに備えた
（１）ないし（１５）のいずれか一項に記載の表示装置。
（１７）
前記電極は、前記一対の基板のうち一方の基板寄りに設けられた第１電極と、前記一対の基板のうち他方の基板寄りに設けられた第２電極とを有し、
前記第１駆動部は、前記第１電極および前記第２電極に対して電圧を印加することにより、前記表示層の表示の全体または一部を消去する
（１６）に記載の表示装置。
（１８）
前記第１電極は、第１方向に延在する複数の第１部分電極を含んで構成され、
前記第２電極は、前記第１方向と交差する第２方向に延在する複数の第２部分電極を含んで構成され、
前記第１駆動部は、前記第１電極および前記第２電極を単純マトリクス駆動することにより前記表示層の表示の全体または一部を消去する
（１６）に記載の表示装置。
（１９）
前記第１電極または前記第２電極は、２次元配置された複数の第３部分電極を含んで構成され、
前記第１駆動部は、前記複数の第３部分電極をアクティブマトリクス駆動することにより前記表示層の表示の全体または一部を消去する
（１７）に記載の表示装置。
（２０）
前記第１駆動部は、前記第１電極および前記第２電極に対して、前記表示層の表示が暗表示から明表示に変化し始める閾値よりも小さい電位差を印加する
（１７）に記載の表示装置。
（２１）
前記一対の基板、前記第１電極および前記第２電極は、光透過性を有する
（１６）に記載の表示装置。
（２２）
前記第１電極寄りの前記基板および前記第１電極は、光透過性を有し、
前記第２電極寄りの前記基板および前記第２電極のうち、少なくとも前記第２電極は、光吸収性を有する
（１７）に記載の表示装置。
（２３）
前記第１電極寄りの前記基板および前記第１電極は、光透過性を有し、
前記第２電極寄りの前記基板および前記第２電極のうち、少なくとも前記第２電極は、光反射性を有する
（１７）に記載の表示装置。
（２４）
前記第２電極寄りの前記基板に接して設けられ、前記第１電極寄りの前記基板の、前記ペンによる押圧を検出するセンサ部と、
前記センサ部の出力に基づいて描画データを生成し外部に出力する第２駆動部と
をさらに備えた
（１７）に記載の表示装置。
（２５）
前記描画データを格納する記憶部をさらに備え、
前記第２駆動部は、前記センサ部の出力に基づいて生成した追記データと、前記記憶部に格納された描画データとを互いに重ね合わせることにより、前記描画データを生成すると共に前記記憶部に格納する
（２４）に記載の表示装置。
（２６）
前記表示面に描画された画像を消去する消去モードを設定するモード設定部をさらに備え、
前記第２駆動部は、前記消去モードにおいて、前記センサ部の出力に基づいて、消去位置を特定し、前記表示面のうち前記消去位置の画像を消去するように、前記第１電極および前記第２電極に対して電圧を印加する
（２４）に記載の表示装置。